(57)【要約】【課題】手を乾燥させるのに使用される手乾燥装置において、使用者の状態にかかわらず、同じ風量で運転してしまい、使用者のことを考慮していないという課題を有していたため、手の大きさを判断して風量を調整しながら運転できる手乾燥装置を提供することを目的とする。【解決手段】本体１に送風手段２を備え、手検知手段４による信号により使用者の手の大きさを判断し、手の大きさに応じて送風手段２の出力を調整するという構成にしたことにより、手を効率よく乾かすことができる構成にした手乾燥装置を得られる。【選択図】図１
2011143132.tif 000002
【特許請求の範囲】
【請求項１】
差し出した手に風を送る送風手段と、本体乾燥室の手の挿入方向に少なくとも２か所に並べて配置した手検知手段とを備え、前記手検知手段からの信号に応じて手の大きさを判断する手大小検出手段と、前記手大小検出手段からの信号に応じて前記送風手段の風量を少なくとも２段階に調整する風量調整手段とを備えた制御部を設けた手乾燥装置。
【請求項２】
手の挿入方向に少なくとも２ヶ所に並べて配置した手検知手段は、乾燥室の開口側に第１の手検知手段を備え、制御部は、前記第１の手検知手段の信号を受け取り、所定の時間が経過した時の前記手検知手段の信号により手の大きさの判断を行う手大小検出手段を備えた請求項１記載の手乾燥装置。
【請求項３】
制御部は第１の手検知手段が手を検知した後に他の検知手段の動作を開始させる給電制御部を備えた請求項２記載の手乾燥装置。
【請求項４】
手大小検出手段は送風手段運転開始前の信号のみを用いて手の大きさの判断を行うことを特徴とした請求項１記載の手乾燥装置。
【請求項５】
風量調整手段は、手の大きさが小の時は、送風手段の風量を最も弱い状態で運転を始めることを特徴とした請求項１記載の手乾燥装置。
【請求項６】
制御部は、第１の手検知手段の信号を用いて、手が抜かれた時の判断を行い、送風手段を停止させる停止手段を備えた請求項１記載の手乾燥装置。
【請求項７】
本体乾燥室に挿入された手の首の位置を確定させる手首位置確定手段を備えた請求項１記載の手乾燥装置。
【請求項８】
手首位置確定手段は、本体乾燥室の開口部に手の幅を検出して手首まで挿入されたことを検出する手首検知手段と、手首が検出されたことを伝える手挿入表示部を備えた請求項７記載の手乾燥装置。
【請求項９】
手首検出手段は、本体乾燥室に挿入する手の方向に対して横断するように配置した複数の検知素子と、制御部に備え前記複数の検知素子の検知信号により手首を判別する手首判断手段とで構成され、乾燥室に手首が挿入されたことを検知する請求項７記載の手乾燥装置。
【請求項１０】
手大小検出手段は、手首検知手段の検知後に前記手検知手段の信号により手の大きさの判断を行うことを特徴とした請求項１または７記載の手乾燥装置。
【請求項１１】
制御部は、所定の時間がたっても手首検知手段からの信号を受信しない場合は、前記手検知手段の信号により手の大きさの判断を行うことを特徴とした請求項１または７記載の手乾燥装置。
【請求項１２】
手の大きさや風量の現在の使用状況を表示する表示部を設けることを特徴とした請求項１から１１のいずれか一つに記載の手乾燥装置。
【請求項１３】
表示部により運転中の手の位置を指定することを特徴とした請求項１２記載の手乾燥装置。
【請求項１４】
人感センサを備え、人を検知した時に音声案内手段によりアナウンスを加え、手首を所定の位置に入れるように案内することを特徴とした請求項８記載の手乾燥装置。
【請求項１５】
手の大きさが小の時は音声で使用方法をアナウンスする音声案内手段を備えた請求項１記載の手乾燥装置。
【請求項１６】
運転後、手検知手段の検知が終わって一定時間後に手の大きさをリセットすることを特徴とした手乾燥装置。
【発明の詳細な説明】
【技術分野】
【０００１】
本発明は、洗面所やトイレ等にて手を洗い、濡れた手を温風にて乾燥させる手乾燥装置に関するものである。
【背景技術】
【０００２】
洗浄後の濡れた手を衛生的に乾燥させる装置として、高速空気流により手に付着した水滴を吹き飛ばして乾燥させる手乾燥装置が知られている。
【０００３】
以下、その手乾燥装置について図１２を参照しながら説明する。
【０００４】
図１２に示すように、開放シンク状の手挿入部１０１を形成した本体箱体１０２に送風機１０３が組み込まれた構成であり、利用者が手挿入部１０１に濡れた手を挿入すると、手検出部により手を検知すると本体に内蔵された送風機１０３が作動し、吹き出し口から乾燥室へ高速空気流が噴射して、手に付着した水分を吹き飛ばして、手を乾燥させる構成となっていた。
【０００５】
また、手乾燥装置は手を検知すると運転が始まるようになっており、使用者の状態に関係なく、同じ風量で運転していた（例えば特許文献１参照）。
【先行技術文献】
【特許文献】
【０００６】
【特許文献１】特開２００８−１１０２４０号公報
【発明の概要】
【発明が解決しようとする課題】
【０００７】
このような従来の手乾燥装置においては、使用者によって運転方法を変えるわけではなく、同一の方法で運転していた。
【０００８】
そのために、手の小さい人にとっては強すぎる風量で運転したり、手の大きい人にとっては物足りない風量で運転したりして、手の乾燥度合いが人によってさまざまであるという課題を有していた。
【０００９】
そこで、本発明は、上記従来の課題を解決するものであり、手の大きさを判別することによって、手の大きさによって風量を変えて運転を行うことで、効率よく手を乾燥させることができる手乾燥装置を提供することを目的とする。
【課題を解決するための手段】
【００１０】
そして、この目的を達成するために、本発明は差し出した手に風を送る送風手段と、本体乾燥室の手の挿入方向に少なくとも２か所に並べて配置した手検知手段とを備え、前記手検知手段からの信号に応じて手の大きさを判断する手大小検出手段を備え、前記手大小検出手段からの信号に応じて送風手段の風量を少なくとも２段階に調整する風量調整手段を備えることを特徴とした手乾燥装置としたものであり、これにより所期の目的を達成するものである。
【発明の効果】
【００１１】
本発明によれば、少なくとも２か所に並べて配置した手検知手段の信号により、手大小検出手段が手の大きさを判断する構成にしたことにより、手の大きさに応じて風量を調整できるので、手の大きさに合わせて運転し、手を効率よく乾燥させることができるという効果を得ることができる。
【図面の簡単な説明】
【００１２】
【図１】本発明の実施の形態１の手乾燥装置の構成を示す断面図
【図２】同実施の形態１の手乾燥装置の構成を示すブロック図
【図３】同実施の形態１の手乾燥装置の動作を示すフローチャート
【図４】同実施の形態２の手乾燥装置の構成を示す断面図
【図５】同実施の形態２の手乾燥装置の構成を示すブロック図
【図６】同実施の形態２の手乾燥装置の動作を示すフローチャート
【図７】同実施の形態３の手乾燥装置の構成を示すブロック図
【図８】同実施の形態３の手乾燥装置の動作を示すフローチャート
【図９】同実施の形態４の手乾燥装置の構成を示す断面図
【図１０】同実施の形態４の手乾燥装置の構成を示すブロック図
【図１１】同実施の形態５の手乾燥装置の構成を示す断面図
【図１２】同実施の形態５の手乾燥装置の構成を示すブロック図
【図１３】同実施の形態６の手乾燥装置の動作を示すフローチャート
【図１４】従来の手乾燥装置の構成を示す断面図
【発明を実施するための形態】
【００１３】
本発明の請求項１記載の手乾燥装置は、差し出した手に風を送る送風手段と、本体乾燥室の手の挿入方向に少なくとも２か所に並べて配置した手検知手段とを備え、前記手検知手段からの信号に応じて手の大きさを判断する手大小検出手段を備え、前記手大小検出手段からの信号に応じて送風手段の風量を少なくとも２段階に調整する風量調整手段を備えるものである。
【００１４】
これにより、挿入された手を２か所に並べて配置した手検知手段により検知し、この検知手段からの信号を受けた手大小検出手段により手の大きさを判断することとなり、手の大きさに応じて送風手段の風量を調整することができ、効率よく手を乾燥させることができるという効果を奏する。
【００１５】
また、請求項２記載の手乾燥装置は、手の挿入方向に少なくとも２ヶ所に並べて配置した手検知手段は、乾燥室の開口側に第１の手検知手段を備え、制御部は、前記第１の手検知手段の信号を受け取り、所定の時間が経過した時の前記手検知手段の信号により手の大きさの判断を行う手大小検出手段を備えたものである。
【００１６】
これにより、第１の手検知手段が手を検知して、手が本体乾燥室の中まで十分に挿入された後に手大小検出手段は、少なくとも２か所にならべて配置した手検知手段の検知状態により手の大きさを判断し、効率よく手を乾燥させることができるという効果を奏する。
【００１７】
また、請求項３記載の手乾燥装置は、制御部は、第１の手検知手段が手を検知した後に他の検知手段の動作を開始させる給電制御部を備えたものである。
【００１８】
これにより、給電制御部は、手が本体乾燥室に挿入されていない場合には、少なくとも２か所に並べて配置した手検知手段のうち第１の手検知手段のみを給電しておき手検知手段には給電せず、第１の手検知手段が手を検知した後の他の検知手段に給電を開始させることとなり、待機時の省エネギー化が図れる。
【００１９】
また、請求項４記載の手乾燥装置は、手大小検出手段は、送風手段運転開始前の信号のみを用いて手の大きさの判断を行うものである。
【００２０】
これにより、送風手段が運転をしている間は乾燥室に挿入した手は手の乾燥を促進するために使用者が動かしていることがあり、手大小検出手段は、送風手段運転開始前の信号のみを用いて手の大きさの判断を行い、送風手段の運転中は手の大きさの判断を行わないことで誤動作を防ぐという効果を奏する。
【００２１】
また、請求項５記載の手乾燥装置は、風量制御手段は、手の大きさが小の時は、前記送風手段の風量を最も弱い状態で運転を始めるものである。
【００２２】
これにより、手が小さい時は子供や老人と判断し、風量の弱い状態から運転を開始することで快適に使用できるという効果を奏する。
【００２３】
また、請求項６記載の手乾燥装置は、制御部は、第１の手検知手段の信号を用いて、手が抜かれた時の判断を行い、送風手段を停止させる停止手段を備えたものである。
【００２４】
これにより、本体乾燥室の開口側に配置した手検知手段で手が抜かれたことを検知して乾燥装置の運転を確実停止させることができるという効果を奏する。
【００２５】
また、請求項７記載の手乾燥装置は、本体乾燥室に挿入された手の首の位置を確定させる手首位置確定手段を備えたものである。
【００２６】
これにより、手首位置確定手段の作用により手首を所定の位置に位置させることができ、手の大きさを正確に判断することができるという効果を奏する。
【００２７】
また、請求項８記載の手乾燥装置は、手首位置確定手段は、本体乾燥室の開口部に手の幅を検出して手首まで挿入されたことを検出する手首検知手段と、手首が検出されたことを伝える手挿入表示部を備えたものである。
【００２８】
これにより、手首検知手段が乾燥室開口部に手首までが挿入されたことを検出すると手相入部により表示をすることで使用者に所定の位置まで手が挿入されたことを知らすことができ、この状態で手の大きさ正確に判断することができるという効果を奏する。
【００２９】
また、請求項９記載の手乾燥装置は、手首検出手段は、本体乾燥室に挿入する手の方向に対して横断するように配置した複数の検知素子と、制御部に備え前記複数の検知素子の検知信号により手首を判別する手首判断手段とで構成され、乾燥室に手首が挿入されたことを検知するものである。
【００３０】
これにより、手の方向に対して横断するように配置した複数の検知素子により複数の検知素子の検知信号を検出して手首判断手段は手首が本体乾燥室に挿入されたこと検知することができるという効果を奏する。
【００３１】
また、請求項１０記載の手乾燥装置は、手大小検出手段は、手首検知手段の検知後に前記手検知手段の信号により手の大きさの判断を行うことを特徴としたものである。
【００３２】
これにより、手首検知手段により、本体乾燥室の開口部に手首が位置した後に手検知手段の信号により手の大きさの判断を行うこととなり、挿入された手の大きさを正確に判断することができるという効果を奏する。
【００３３】
また、請求項１１記載の手乾燥装置は、制御部は、所定の時間がたっても手首検知手段からの信号を受信しない場合は、前記手検知手段の信号により手の大きさの判断を行うことを特徴としたものである。
【００３４】
これにより、手首を検知できなかった場合でも手の大きさの判断を行えるという効果を奏する。
【００３５】
また、請求項１２記載の手乾燥装置は、手の大きさや風量の現在の使用状況を表示する表示部を設けたものである。
【００３６】
これにより、これにより、使用者が使用状況を把握することができ、使用感を向上させるという効果を奏する。
【００３７】
また、請求項１３記載の手乾燥装置は、表示部により運転中の手の位置を指定するものである。
【００３８】
これにより、手の位置を指定することで、より効率的に乾かすことができるという効果を奏する。
【００３９】
また、請求項１４記載の手乾燥装置は、人感センサを備え、人を検知した時に音声案内手段によりアナウンスを加え、手首を所定の位置に入れるように案内するものである。
【００４０】
これにより、音声案内を加えることで使用者がより使いやすくなり、使用感を向上するという効果を奏する。特に音声での案内により、手首の位置を正確に使用者にあわせてもらうことができ、使用者の手の大きさを正確に判断して、手の大きさに合った風量で送風することができる。
【００４１】
また、請求項１５記載の手乾燥装置は、手の大きさが小の時は音声で使用方法をアナウンスする音声案内手段を備えたものである。
【００４２】
これにより、手乾燥装置の使用方法をあまり理解していない子供や老人に対して、音声での案内を加えて使用感を向上させるという効果を奏する。
【００４３】
また、請求項１６記載の手乾燥装置は、運転後、手検知手段の検知が終わって一定時間後に手の大きさをリセットするものである。
【００４４】
これにより、現在の使用者が使い終わったことを確認して次の使用者の手の大きさの判断に入り、誤動作を防ぐという効果を奏する。
【００４５】
以下、本発明の実施の形態について図面を参照しながら説明する。
【００４６】
（実施の形態１）
図１に示すように本体１内には、空気を吹き出す送風手段２を備え、本体１上部には、上方へと開口した乾燥室３があり、乾燥室３の内側面には、手の挿入方向に少なくとも２か所に並べて配置して、乾燥室３に挿入された手を検知する手検知手段４が取り付けられている。本実施の形態では手検知手段４は乾燥室の開口側から奥へ向かって二つ並べて配置し、この手検知手段４のうち乾燥室３の開口側に近い位置に配置した手検知手段４を第１の手検知手段４ａとして開口側から遠い位置に配置した手検知手段４を第２の手検知手段４ｂとして説明をする。
【００４７】
また、この手検知手段４は、例えば反射型赤外線センサまたは透過型の赤外線センサを用いることができる。そして本実施の形態では、透過型の赤外線センサを用いている。すなわち、発光部と受光部を一対にして対向させて配置したもので、これを遮ることで手が挿入されたことを検知するものである。そして、これら手検知手段４は本体１の下部に取り付けられた制御部５と接続されている。
【００４８】
また送風手段２としては、例えば高静圧の送風機を用いる。この送風機は、交流の整流子モータで駆動させる構成を有する。
【００４９】
乾燥室３の下方には、送風手段２から吹出された風により吹き飛ばされた水滴や濡れた手より落下した水滴を受ける水受け部６を備えている。
【００５０】
そして、図２に示すように制御部５には、乾燥室３へ挿入された使用者の手の大きさを判断する手大小検出手段７と、前記手大小検出手段７からの信号に応じて、送風手段２の風量を少なくとも２段階（最も強い状態の強、最も弱い状態の弱）に調整する風量調整手段８を備えている。前記風量調整手段８は、前記手大小検出手段７からの信号を受けて、送風手段２の前記交流の整流子モータへの電源の通電比率（ｄｕｔｙ）を調整するものである。
【００５１】
また、手大小検出手段７は、第１の手検知手段４ａが手を検知しての信号を発したことを判定する第１ステップ７ａと、第１の手検知手段４ａが手を検知して信号が発せられたことを判定してから第１タイマをスタートさせて所定の時間を計測する第２ステップ７ｂと、第２の手検知手段４ｂが手を検知しているか否かを判定する第３ステップ７ｃとを有するものである。そして、この第３ステップ７ｃの判定を受けて前記風量調整手段８は、送風手段２の風量を調節するものである。
【００５２】
また、制御部５には、第１の手検知手段４ａの検出信号が無くなったことを判定する第４ステップ７ｄと、この第４ステップ７ｄの結果によって送風手段２の通電を停止する停止手段９とを設ける。
【００５３】
なお、第４ステップ７ｄは、第１の手検知手段４ａが手を検知していないことを判定するものであるが、少なくとも第１ステップ７ａの後に実行されるように配置することで、前記のように第１の手検知手段４ａの検出信号が無くなったことを判定することで送風手段２の通電の停止を容易に行うことができる。
【００５４】
そして、制御部５は、手大小検出手段７、風量調整手段８、第４ステップ７ｄ、停止手段９の順番にステップが並べられ構成している。
【００５５】
上記構成により、図３のフローチャートに示すように、乾燥室３に手が挿入されると、第１の手検知手段４ａを構成する赤外線センサの発光部と受光部の間を遮ることなり第１の手検知手段４ａがこれを検知することとなる。そして図の第１ステップ７ａにより、第１の手検知手段４ａが乾燥室３に挿入された手を検知したと判定されると、第２ステップ７ｂによって第１タイマがスタートされタイムアップされるまで、所定に時間を計測することとなる。この第１タイマがタイムアップされると、第３ステップにより第１の手検知手段４ａよりも乾燥室３の奥側に配置した第２の手検知手段４ｂが手を検知しているか否かが判定される。そして、第２の手検知手段４ｂが手を検知していると判定されたとき、すなわち手大小検出手段７が手の大きさを大と判定したときには、風量調整手段８は、送風手段２の風量を強として手乾燥装置の運転を開始することとなる。また、第２の手検知手段４ｂが手を検知していないと判定された場合には、手の長さが第２の手検知手段４ｂまで達していないことから手の大きさを小と判定して、風量調整手段８は、送風手段２の風量を弱として手乾燥装置の運転を開始することとなる。
【００５６】
つまり、手大小検出手段７からの信号に応じて送風手段２の風量を変えて運転することができる。
【００５７】
また、乾燥室３に挿入された手の乾燥が終了して、手が抜き去られたときには、第４のステップ７ｄにより第１の手検知手段４ａの手検知信号があるか無いかを判定して無いことが判定され、手の検知が無い場合には停止手段９にて送風手段２の運転を停止することとなる。
【００５８】
また、手の乾燥が終了せず、乾燥室３に手を挿入した状態が続いていれば、手の検知があると判定され、送風手段２の運転が継続される。
【００５９】
以上のように、手検知手段４は、開口側に近い位置に配置した第１の手検知手段４ａと開口側から遠い位置に配置した第２の手検知手段４ｂを備え、これら第１の手検知手段４ａと第２の手検知手段４ｂの信号を受けた手大小検出手段７判断結果に応じた信号をもとに風量を変えて運転することにより、使用者の手の大きさに応じた運転ができ、効率よく手を乾燥させることができるという効果を奏する。
【００６０】
また、運転中は手の大きさの判断は行わず、１番目の手検知手段４の信号がなくなったときに送風手段２を停止する。これにより、手を乾燥しているときに手を動かされて、手大小検出手段７の判定結果が変更され送風手段２の送風風量が頻繁に変更されることが防止され安定した風量手の乾燥がおこなえる。
【００６１】
また、手の大きさをより細かく判別するためには、手検知手段４を３か所以上設置して、第１タイマがカウントアップした時に、第３ステップ７ｃは何番目の手検知手段４からの信号を受信したかによって、手の大きさを判断し、手の大きさに応じた風量で運転するようにすればよい。
【００６２】
（実施の形態２）
以上のように、手の長さから大きさを判定して、手の大きさに対応させて送風手段２を運転させる技術について説明をした。実施の形態２では、その手の大きさをより正確に判定する実施の形態について説明をする。  
【００６３】
なお、実施の形態１で既に説明した部分については理解を容易にするために、同一番号を付し、説明は簡略化する。
【００６４】
実施の形態２の手乾燥装置においては、実施の形態１の構成に加えて、乾燥室３に手が挿入されたときに手首の位置を所定の位置に確定させる構成を備えたものである。
【００６５】
すなわち、図４、図５に示すように、制御部５は、乾燥室３の開口部３ａに挿入された手の首の位置を確定させる手首位置確定手段１０を備えたものである。この手首位置確定手段１０は、本体の乾燥室３の開口部３ａに手の幅を検出する手首検出手段１１と、手首が検出されたことを使用者へ伝える手挿入表示部１２とを備え、制御部５に手首検出手段１１の検出した手の幅の信号により開口部３ａに手首まで挿入されたことを検出する手首判断手段１３とを備え構成される。手挿入表示部１２は例えば、ＬＥＤを備えたものである。
【００６６】
また手首検出手段１１は、本体の乾燥室３に挿入する手の方向に対して横断するように配置した複数の検知素子１４で構成される。そして、手首判断手段１３は、検知素子１４の検知信号をうける構成とする。すなわち、手首判断手段１３は、乾燥室３の開口部に手の挿入方向に対して交差する方向（直角に交差する方向がより良い）に並べて配置した複数の検知素子１４により手の幅の変化を検知して、手首が乾燥室３の開口部３ａに挿入されたことを判別するものである。また、複数の検知素子１４は透過型または反射型の赤外線センサを用いることができる。
【００６７】
そして、本実施の形態では、手大小検出手段１５は、実施の形態１の手大小検出手段７の第２ステップ７ｂに換えて、手首判断手段１３と手挿入表示部１２へ信号を送る第５ステップ７ｅを備えたものである。つまり、手大小検出手段１５は、第１ステップ７ａと、手首判断手段１３と、第５ステップ７ｅと、第２の手検知手段４ｂが手を検知しているか否かを判定する第３ステップ７ｃとを順番に備えたものである。
【００６８】
上記構成により、手の大きさを判断する際に手首を所定の位置に確定させることができる。そして、手の大きさをより正確に判定することができる。
【００６９】
以下、その詳細について、図６に示すフローチャートを用いて説明する。
【００７０】
使用者が手を挿入すると、１番目の手検知手段４が反応する。このとき手首位置確定手段１０は、手首検出手段１１の複数の検知素子１４が、挿入されていく手の幅を時系列的に検知することとなり、この信号を受けた手首判断手段１３は、検出した幅が大から小へ変化して安定したところで、手首が乾燥室３の開口部３ａに位置していることを検知することができる。そして、第５のステップ７ｅにより手挿入表示部１２のＬＥＤを転送させることとなる。使用者はこの手挿入表示部１２の表示により手首の位置が正しく挿入されていることを知ることとなる。そして、手をそのまま静止させて、手を乾燥させる準備をすることとなる。次に、ステップは第３ステップ７ｃに移り第２の手検知手段４ｂの信号がある否かを判定して、実施の形態１と同様に手大小検出手段１５は、挿入された手の長さから大きさを判断することとなる。
【００７１】
このようにして、手大小検出手段は、第１の手検知手段４ａの検知信号が確認されると、まず手首判断手段１３の検知を行い、手首判断手段１３の検知後に前記手検知手段４の信号により手の大きさの判断を行うことで、挿入された手の大きさを正確に判断することができる。つまり、手首位置確定手段１０の作用により、乾燥室３に挿入された手首の位置を所定の位置、本実施の形態では、開口部３ａに確定させることができるため、手の長さは開口部３ａを基準により正確に判断することができる。そして、このようにして判断した手の長さから大きさを判断させることができる。
【００７２】
以上のようにして手の大きさが判断されると、風量調整手段８により手の大きさに応じた風量で運転を行う。
【００７３】
以上のように、手首位置確定手段１０を用いて手首を基点させて、手大小検出手段７にて大きさを判断することで、手の大きさの判断をより精度よく行うことができ、使用者の手の大きさに応じた運転ができ、効率よく手を乾燥させることができるとともに、使用感を向上させることができるという効果を奏する。
【００７４】
（実施の形態３）
実施の形態２では、手首位置確定手段１０の作用により、手首の位置を確定させて、その後手の大きさを判断する実施の形態を説明した。
【００７５】
本実施の形態では、図７に示すように実施の形態２の手大小検出手段１５に加えて、手首の判断を行うステップに組み合わせた時間制限手段１７を設けた手大小検出手段１６を備えたものである。
【００７６】
なお、理解を容易にするために、実施の形態１または実施の形態２と同じ構成については、同一の符号を付しその詳細な説明は簡略化する。
【００７７】
前記手大小検出手段１６は、図８に示すように、第１の手検知手段４ａが手を検知して信号が発せられたことを判定してから第１タイマをスタートさせる第６ステップ７ｆと手首の判断ができたか否かを確認しながら所定の時間に達したことを判定する第７ステップ７ｇとから構成するものである。
【００７８】
つまり、手大小検出手段１６は、第１ステップ７ａと、第６ステップ７ｆと、手首判断手段１３と、第７ステップ７ｇと、第５ステップ７ｅと、第３ステップ７ｃとを順番に備えたものである。
【００７９】
上記構成により、図８のフローチャートに示すように、第１の手検知手段４ａが乾燥室３に挿入された手を検知すると、第１のステップ７ａで手検知信号が有りと判定される。そして、第６ステップ７ｆにより第１タイマがスタートされる。そして挿入された手は、開口部３ａに設けた手首検出手段１１を通過し、乾燥室の奥へ入る。そこで手首検出手段１１は、実施の形態２と同様に、挿入されていく手の幅を時系列的に検知することとなり、この信号を受けた手首判断手段１３は、検出した幅が大から小へ変化して安定したところで、手首が乾燥室３の開口部３ａに位置していることを検知することができる。ところが、手首判断手段１３の分解能と挿入された手の状態、例えば手をつぼめて挿入した場合や、手首の位置に衣服の袖や時計やブレスレットがつけられていた場合に、検出した幅が大から小へと変化することが検知できないことがある。そこで、本実施の形態のように、手大小検出手段１６は、手首の判断ができたか否かを確認しながら所定の時間に達したことを判定する第７ステップ７ｇにて手首の判断ができなかった時には、第６ステップ７ｆでスタートさせた第１タイマの時間が所定の時間を経過したか否かを判定する。そして所定の時間を経過していれば、第３ステップ７ｃにて第２の手検知手段４ｂの検知信号の有り無しを判定して、挿入された手の長さが判定を行い手の大きさを判断することとなる。また、第７ステップ７ｇ所定の時間を経過していなければ、そのまま手首の判断を続けることとなる。
【００８０】
以上のようにすることで、手首を検知できなかった場合でも手の大きさの判断を行えるという効果を奏する。
【００８１】
（実施の形態４）
実施の形態１で説明した同一部分は同一番号を付し、詳細な説明は省略する。
【００８２】
実施の形態３の手乾燥装置においては、使用状況を把握することができる機能を追加したものである。
【００８３】
図９、１０に示すように本実施の形態の本体に、使用状況を表示する表示部１１ａと、制御部５に手検知手段４の手の位置情報から理想的な手の位置を計算する手誘導手段１２ａを加えて設けた構成とした。理想的な手の位置とは手を速く乾燥させることができる位置を言う。
【００８４】
上記構成により、使用状況を見ながら本体を使用することができる。
【００８５】
前記表示部１１ａは、手大小検出手段７の信号により判断された手の大きさと風量調整手段８により調整された風量を表示する。
【００８６】
また、運転中に手検知手段４からの信号を用いて現在の手の位置を把握し、手誘導手段１２ａにより計算された手の理想位置を表示部１１ａにより表示する。
【００８７】
以上のように、表示部１１ａにより使用状況を表示することで、使用者が使用状況を把握することができ、挿入した手の位置を移動させて手をより早く乾燥させることができる。つまり、手乾燥装置の使用感が向上できるという効果を奏する。
【００８８】
また、表示部１１ａにより運転中の手の位置を指定することで、効率よく手を乾燥させることができるという効果を奏する。
【００８９】
（実施の形態５）
実施の形態１で説明した同一部分は同一番号を付し、詳細な説明は省略する。
【００９０】
実施の形態４の手乾燥装置においては、音声案内を加える機能を追加したものである。
【００９１】
図１１、１２に示すように、本実施の形態の本体に、本体を使用する人を検知する人検知手段１３ａと、音声で使用方法をアナウンスする音声案内手段１４ａと、運転時間から理想的な使用状況を前記音声案内手段１４ａに伝える使用状況報知手段１５ａを加えて設ける構成とした。
【００９２】
上記構成により、本体の使用方法を音声によって導くことができる。
【００９３】
使用者が手を挿入する前に前記人検知手段１３ａからの信号を受け取ると、前記音声案内手段１４ａにより、「手を挿入してください」というアナウンスが入る。
【００９４】
また、実施の形態２のように手首を検出する構成の場合には、「手首を所定の位置にセットしてください」というアナウンスを入れることで、手首の検出をより精度よく行うことができる。
【００９５】
また、前記手大小検出手段７が手の大きさを小と判断した時には、前記使用状況報知手段１５ａが使用時間に応じた理想的な使用状況を計算し、前記音声案内手段１４ａにより使用者に伝える。アナウンスの例としては、「手もみを行ってください」、「ゆっくり手を抜いてください」などがある。
【００９６】
以上のように、本体を使用する際に音声案内を加えることで使用者がより使いやすくなり、使用感を向上するという効果を奏する。
【００９７】
（実施の形態６）
実施の形態１で説明した同一部分は同一番号を付し、詳細な説明は省略する。
【００９８】
実施の形態５の手乾燥装置においては、手挿入時の判断は１番目の手検知手段４を用い、１番目以外の手検知手段４への給電を絶つ機能と、運転後、一定時間経過後に手の大きさをリセットする機能を追加したものである。
【００９９】
以下、その詳細について、図１３に示すフローチャートを用いて説明する。
【０１００】
使用者が手を挿入すると、１番目の手検知手段４が反応し、１番目以外の手検知手段４への給電をＯＮする。実施の形態１と同じフローをたどり運転をし、１番目の手検知手段４の信号がなくなったときに第２タイマをスタートさせる。この第２タイマがアップする前に再度１番目の手検知手段４の信号を受信したら、前記第２タイマをリセットする。第２タイマがアップしたら、手の大きさをリセットし、１番目以外の手検知手段４の給電をＯＦＦする。
【０１０１】
以上のように、手が挿入されると判断するまで、１番目の手検知手段４以外の手検知手段４への給電を絶つことで、省エネルギー化することができるという効果を奏する。
【０１０２】
また、運転後、一定時間経過後に手の大きさをリセットすることで、現在の使用者が使い終わったことを確認して次の使用者の手の大きさの判断に入り、本体の誤動作を防ぐという効果を奏する。
【産業上の利用可能性】
【０１０３】
本発明の手乾燥装置は、レストランやホテルなどの洗面所やトイレに設置され、また病院や手術室や調理場においても適用できる。
【符号の説明】
【０１０４】
１    本体
２    送風手段
３    乾燥室
３ａ  開口部
４    手検知手段
４ａ  第１の手検知手段
４ｂ  第２の手検知手段
５    制御部
６    水受け部
７    手大小検出手段
７ａ  第１ステップ
７ｂ  第２ステップ
７ｃ  第３ステップ
７ｄ  第４ステップ
７ｅ  第５ステップ
７ｆ  第６ステップ
７ｇ  第７ステップ
８    風量調整手段
９    停止手段
１０  手首位置確定手段
１１  手首検出手段
１２  手挿入表示部
１３  手首判断手段
１４  検知素子
１５  手大小検出手段
１６  手大小検出手段
１７  時間制限手段
【図１】
2011143132.tif 000003
【図２】
2011143132.tif 000004
【図３】
2011143132.tif 000005
【図４】
2011143132.tif 000006
【図５】
2011143132.tif 000007
【図６】
2011143132.tif 000008
【図７】
2011143132.tif 000009
【図８】
2011143132.tif 000010
【図９】
2011143132.tif 000011
【図１０】
2011143132.tif 000012
【図１１】
2011143132.tif 000013
【図１２】
2011143132.tif 000014
【図１３】
2011143132.tif 000015
【図１４】
2011143132.tif 000016